(57)【要約】  遠隔ディスプレイへコンテンツのワイヤレス送信に従事するマルチメディアデバイスは、遠隔ディスプレイのためにグラフィカルユーザインターフェースコンテンツをフォーマットすることができる。このデバイスはまた、リモコンなどのヒューマンインターフェースデバイスと通信することができる。このリモコンは、遠隔ディスプレイを制御するために、制御情報をマルチメディアデバイスに送ることができる。
2013521716.tif 000002
【特許請求の範囲】
【請求項１】
マルチメディアデバイスが遠隔ディスプレイモードに入ることを示す表示を受信するステップと、
前記表示に応じて、前記遠隔ディスプレイのために特に構成されたグラフィカルユーザインターフェース(GUI)を含むフォーマットで、マルチメディアコンテンツを遠隔ディスプレイにワイヤレスで送信するステップと
を備える方法。
【請求項２】
前記表示を受信するステップは、マルチメディアデバイスが遠隔ディスプレイモードに入ることを要求するユーザ入力を受信することを備える請求項1に記載の方法。
【請求項３】
前記遠隔ディスプレイと通信しているヒューマンインターフェースデバイス(HID)から、逆方向リンクを介して制御信号を受信するステップをさらに備える請求項1に記載の方法。
【請求項４】
前記HIDからの制御信号は、前記遠隔ディスプレイと前記マルチメディアデバイスの両方に送られる請求項3に記載の方法。
【請求項５】
前記制御信号は、Bluetooth(登録商標)、赤外線、無線周波数およびZigbee(登録商標)のうちの1つを介して送られる請求項3に記載の方法。
【請求項６】
前記マルチメディアコンテンツは、ホワイトスペースを介してワイヤレスで送信される請求項1に記載の方法。
【請求項７】
前記遠隔ディスプレイのために特に構成された前記GUIは、解像度、フォント、グラフィック再生成率および前記遠隔ディスプレイのために構成されたブラウザのうちの少なくとも1つを用いるGUIを備える請求項1に記載の方法。
【請求項８】
マルチメディアデバイスが遠隔ディスプレイモードに入ることを示す表示を受信するための手段と、
前記表示に応じて、前記遠隔ディスプレイのために特に構成されたグラフィカルユーザインターフェース(GUI)を含むフォーマットで、マルチメディアコンテンツを遠隔ディスプレイにワイヤレスで送信するための手段と
を備える装置。
【請求項９】
前記遠隔ディスプレイと通信しているヒューマンインターフェースデバイス(HID)から、逆方向リンクを介して制御信号を受信するための手段をさらに備える請求項8に記載の装置。
【請求項１０】
前記制御信号は、Bluetooth(登録商標)、赤外線、無線周波数およびZigbee(登録商標)のうちの1つを介して送られる請求項9に記載の装置。
【請求項１１】
マルチメディアデバイスが遠隔ディスプレイモードに入ることを示す表示を受信するためのプログラムコードと、
前記表示に応じて、前記遠隔ディスプレイのために特に構成されたグラフィカルユーザインターフェース(GUI)を含むフォーマットで、マルチメディアコンテンツを遠隔ディスプレイにワイヤレスで送信するためのプログラムコードと
を備えるプログラムコードを記録したコンピュータ可読記録媒体。
【請求項１２】
前記プログラムコードは、前記遠隔ディスプレイと通信しているヒューマンインターフェースデバイス(HID)から、逆方向リンクを介して制御信号を受信するためプログラムコードをさらに備える請求項11に記載のコンピュータ可読記録媒体。
【請求項１３】
前記制御信号は、Bluetooth(登録商標)、赤外線、無線周波数およびZigbee(登録商標)のうちの1つを介して送られる請求項12に記載のコンピュータ可読記録媒体。
【請求項１４】
少なくとも1つのプロセッサと、
前記少なくとも1つのプロセッサに結合されたメモリと
を備え、前記少なくとも1つのプロセッサが、
マルチメディアデバイスが遠隔ディスプレイモードに入ることを示す表示を受信し、
前記表示に応じて、前記遠隔ディスプレイのために特に構成されたグラフィカルユーザインターフェース(GUI)を含むフォーマットで、マルチメディアコンテンツを遠隔ディスプレイにワイヤレスで送信する
ように構成されている装置。
【請求項１５】
前記マルチメディアデバイスが遠隔ディスプレイモードに入ることを示す前記表示は、マルチメディアデバイスが遠隔ディスプレイモードに入ることを要求するユーザ入力を備える請求項14に記載の装置。
【請求項１６】
前記遠隔ディスプレイと通信しているヒューマンインターフェースデバイス(HID)から、逆方向リンクを介して制御信号を受信するように構成されている前記少なくとも1つのプロセッサをさらに備える請求項14に記載の装置。
【請求項１７】
前記HIDからの制御信号は、前記遠隔ディスプレイと前記マルチメディアデバイスの両方に送られる請求項16に記載の装置。
【請求項１８】
前記制御信号は、Bluetooth(登録商標)、赤外線、無線周波数およびZigbee(登録商標)のうちの1つを介して送られる請求項16に記載の装置。
【請求項１９】
前記マルチメディアコンテンツは、ホワイトスペースを介してワイヤレスで送信される請求項14に記載の装置。
【請求項２０】
前記遠隔ディスプレイのために特に構成された前記GUIは、解像度、フォント、グラフィック再生成率および前記遠隔ディスプレイのために構成されたブラウザのうちの少なくとも1つを用いるGUIを備える請求項14に記載の装置。
【発明の詳細な説明】
【技術分野】
【０００１】
関連出願の相互参照
本出願は、その開示が全体的に参照により本明細書に明白に組み込まれている、RAVEENDRANらの名前で2010年3月2日に出願した米国仮特許出願第61/309,667号の利益を主張するものである。
【０００２】
本開示は一般に、ワイヤレスディスプレイに関する。より詳細には、本開示は、外部ディスプレイデバイスの遠隔ディスプレイモードでマルチメディアデバイスからのマルチメディアコンテンツを表示することに関する。
【背景技術】
【０００３】
テレビ(TV)およびその他のモニタへコンテンツをワイヤレス配信することは、望ましいことである。一例として、いくつかの場合には、TVデバイスに出力するためにユーザデバイスからコンテンツを配信されることが望ましいことがある。たとえば、多くのTVデバイスの出力能力と比較して、携帯電話、携帯情報端末(PDA)、メディアプレイヤデバイス(たとえばAPPLEのIPODデバイス、その他のMP3プレイヤデバイスなど)、ラップトップコンピュータ、ノートブックコンピュータなどの多くのポータブルユーザデバイスは、ディスプレイのサイズが小さいなど、限定された/制限された出力能力を有する。たとえば、ポータブルユーザデバイスでビデオを見ることを望むユーザは、ビデオコンテンツがTVデバイスへの出力のために配信されたならば、向上した視聴覚エクスペリエンスを得られる可能性がある。
【発明の概要】
【課題を解決するための手段】
【０００４】
1つの方法が提供される。この方法は、マルチメディアデバイスが遠隔ディスプレイモードに入ることを示す表示を受信するステップを含む。この方法はまた、表示に応じて、遠隔ディスプレイのために特に構成されたグラフィカルユーザインターフェース(GUI)を含むフォーマットで、遠隔ディスプレイにマルチメディアコンテンツをワイヤレスで送信するステップも含む。
【０００５】
1つの装置が提供される。この装置は、マルチメディアデバイスが遠隔ディスプレイモードに入ることを示す表示を受信するための手段を含む。この装置はまた、表示に応じて、遠隔ディスプレイのために特に構成されたグラフィカルユーザインターフェース(GUI)を含むフォーマットで、遠隔ディスプレイにマルチメディアコンテンツをワイヤレスで送信するための手段も含む。
【０００６】
1つのコンピュータプログラム製品が提供される。このコンピュータプログラム製品は、記録されたプログラムコードを有するコンピュータ可読媒体を含む。このプログラムコードは、マルチメディアデバイスが遠隔ディスプレイモードに入ることを示す表示を受信するためのプログラムコードを含む。このプログラムコードはまた、表示に応じて、遠隔ディスプレイのために特に構成されたグラフィカルユーザインターフェース(GUI)を含むフォーマットで、遠隔ディスプレイにマルチメディアコンテンツをワイヤレスで送信するためのプログラムコードも含む。
【０００７】
1つの装置が提供される。この装置はプロセッサと、プロセッサに結合されたメモリとを含む。このプロセッサは、マルチメディアデバイスが遠隔ディスプレイモードに入ることを示す表示を受信するために構成されている。このプロセッサはまた、表示に応じて、遠隔ディスプレイのために特に構成されたグラフィカルユーザインターフェース(GUI)を含むフォーマットで、遠隔ディスプレイにマルチメディアコンテンツをワイヤレスで送信するためにも構成されている。
【０００８】
本開示のより完全な理解のために、ここで、添付の図面と併せて以下の説明を参照する。
【図面の簡単な説明】
【０００９】
【図１】本開示の態様が実装され得る例示的システムの図である。
【図２】グラフィカルユーザインターフェースの図である。
【図３】一態様によるコンテンツのワイヤレス送信を示す図である。
【発明を実施するための形態】
【００１０】
ホワイトスペースデバイス(white space devices)とは一般に、テレビジョン帯域の未使用スペクトルで通信を行う無認可のワイヤレストランシーバのことを指す。これらのデバイスは一般に、デバイスが最初に認可された1次ユーザからのTV帯域信号(たとえば新型テレビジョンシステム委員会(ATSC)、全米テレビジョン放送方式標準化委員会(NTSC)、および特定のワイヤレスマイクロフォンプロトコルなど)を検出するためにスキャンを行い、次いで、認可された信号との干渉を避けるために未使用のチャネルを選択するという認知的な方法で動作する。
【００１１】
ホワイトスペースデバイスは、ユーザデバイスに通信可能に結合されるか、またはユーザデバイス内に組み込まれてもよく、したがってTVのホワイトスペースを介してユーザからTVデバイス(たとえばHDTVデバイスなど)へ情報(たとえばマルチメディアコンテンツなど)を配信することができる。テレビのホワイトスペースを介して通信を行うための1つの方法は、その開示が全体的に参照により本明細書に明白に組み込まれている、RAVEENDRANらの名前で2011年1月4日に出願した同一出願人による米国特許出願第12/984,032号の中で説明されている。
【００１２】
いくつかの例では、HDTV、モニタまたはその他のディスプレイデバイスなどの遠隔ディスプレイで、マルチメディアホストデバイス(たとえばポータブルスマートフォン、タブレット、ハンドヘルドのウェブブラウジングデバイスなど)などのコンテンツソースからコンテンツをワイヤレスで表示することが望ましい場合がある。しかしながら、本開示では、例としてホワイトスペースを介したコンテンツの送信が使用され、コンテンツは様々な送信方法(たとえばワイヤレスローカルエリアネットワーク(WLAN)など)によってコンテンツソースからディスプレイにワイヤレスで送信されてもよく、このことは本開示の範囲内に入り得る。
【００１３】
コンテンツの遠隔ディスプレイのユーザエクスペリエンスをより快適にするために、本開示のいくつかの態様は、遠隔ディスプレイのためにマルチメディアコンテンツを再フォーマットすること、遠隔ディスプレイのためにフォーマットされたグラフィカルユーザインターフェース(GUI)を追加すること、およびマルチメディアホストデバイスをテレビのリモコン(remote control)、コンピュータマウスまたはその他のデバイスなどのヒューマンインターフェースデバイス(HID)に結合する逆方向リンク制御信号経路を提供する。
【００１４】
遠隔ディスプレイシステムの例示的システムおよび例示的実装を説明の目的で記述しているが、当業者であれば、記述する概念は応用の際にそのような例示的システム/デバイスに限定されることはないが、ユーザデバイスから遠隔ディスプレイに情報を配信するためのシステム/デバイスの様々なその他の実装で同様に採用され得るということが諒解されよう。
【００１５】
図1は、本開示の態様が実装され得る例示的システム100の図である。システム100は、ブロック図の形式で示しているが、「ホスト」デバイスとよぶことができるユーザデバイス101を含む。図示の例では、ユーザデバイス101はモバイルデバイスとして示されているが、他の態様ではユーザデバイスはモバイルデバイスでなくてもよい。デバイス101はメディアプロセッサ、ディスプレイプロセッサ、オーディオ出力プロセッサを含んでもよく、組込み型ディスプレイおよび組込み型スピーカなどの組込み型入力/出力デバイスを有してもよい。ユーザデバイス101は一般に、その組込み型出力デバイス(たとえば組込み型ディスプレイおよびスピーカなど)を介して出力されてもよいコンテンツを生成するために動作可能である。当技術分野では、ユーザデバイスに様々なタイプのコンテンツが出力されることがよく知られており、任意のそのようなコンテンツは、所与の適用例ではユーザデバイス101に出力されてもよい。たとえば、マルチメディアプレイヤ適用例は、マルチメディアコンテンツ(たとえばテレビ番組、映画など)を出力するためにユーザデバイス101上で実行されてもよい。当然、ユーザがユーザデバイス101を介してインタラクトすることができる所与の適用例で、テキストコンテンツおよび/またはその他のグラフィカル/画像および/またはオーディオコンテンツ(たとえば電子メール、ウェブブラウジングコンテンツ、ビデオゲーム、文書処理コンテンツなど)などのその他のコンテンツが出力されてもよい。
【００１６】
ユーザは、ポインタデバイス(たとえばマウスなど)、ジョイスティック、キーボード、タッチスクリーンインターフェース、マイクロフォンなどの1つまたは複数のヒューマンインターフェース入力デバイス(図1には図示せず)を介して、(たとえば実行中のアプリケーションとインタラクトするために)ユーザデバイス101に情報を入力することができる。いくつかの例では、そのようなユーザ入力情報は、いくつかの出力が生成または変更されることにつながり得る。たとえば、ユーザのマウスの動きの入力は、ユーザデバイスの出力ディスプレイ上でのポインタの対応する動きにつながり得る。別の実施例では、ビデオゲームを再生するユーザは、ユーザデバイス101上のボタンおよび/またはタッチインターフェースを通じて、またはユーザデバイス101の(たとえば、ユーザデバイス101を振り動かすこと、回転させることなどによる)物理的操作を通じて、ゲームを制御することができる。ユーザによるこれらの相互作用は、ポインタ、ターゲット、カラットまたは出力ディスプレイに組み込まれている他のアイコンの位置を変更することができる。
【００１７】
例示的システム100には、ワイヤレストランスミッタ102も含まれる。上記で説明したように、ホワイトスペースデバイスはサンプルワイヤレストランスミッタとして使用されるが、様々なワイヤレス送信プロトコル(たとえばワイヤレスUSB(WUSB)、802.11、Bluetooth(登録商標)など)が使用されてもよい。ホワイトスペースデバイスのワイヤレストランスミッタ例102は、図1ではブロック図の形式で示されている。ワイヤレストランスミッタ102は、ホストデバイス101と通信可能に結合されており、そのようなホストデバイス101から情報を受信する。一実施形態では、ワイヤレストランスミッタ102はUSB接続を介してホストデバイス101と通信可能に結合されているが、本明細書でさらに説明するように、ワイヤレストランスミッタ102とホストデバイス101とは、ホストデバイス101からの情報がワイヤレストランスミッタ102によってキャプチャされることを可能にする任意の適切な方法で通信可能に結合されてもよい。たとえば、ワイヤレストランスミッタは別のタイプのワイヤード接続を介して、またはワイヤレスUSB(WUSB)、Bluetooth(登録商標)、802.11などのワイヤレス通信接続を介して、ホストデバイス101と通信可能に結合されてもよい。代わりに、いくつかの実施形態では、ワイヤレストランスミッタ102はホストデバイス101内に統合されても/組み込まれてもよく、したがって、たとえばホストデバイス101からの情報のキャプチャのために内部通信バスを介して通信可能に結合されてもよい。したがって、一態様では、ユーザデバイス101とワイヤレストランスミッタ102は同じ物理デバイスの中に組み込まれてもよい。
【００１８】
ワイヤレストランスミッタ102は、ユーザデバイス101から情報をキャプチャする。たとえば、キャプチャされた情報は、「ビデオアウト」および「オーディオアウト」などの出力デバイスを介して出力される「ペイロードコンテンツ」を含む。本明細書でさらに説明するように、いくつかの態様では、たとえばユーザ入力コマンド(たとえばマウス動作、ジョイスティック動作、キーボード入力、タッチ入力、動作入力および/またはヒューマンインターフェースデバイスを介して受信される他のコマンドなど)などのヒューマンインターフェースデバイス(HID)データなど、他の情報もまたワイヤレストランスミッタ102によってキャプチャされてもよい。ワイヤレストランスミッタ102は、たとえばホワイトスペースを介して、たとえばユーザデバイス101からキャプチャされたコンテンツ(たとえばマルチメディアコンテンツなど)が図1にHDTVとして図示するディスプレイデバイス103によって受信され、出力されることを可能にするために、ユーザデバイス101からキャプチャされた情報をワイヤレスで送信するために動作可能である。ユーザ入力コマンドは、関連するオーディオまたはビデオデータとの対応関係を提供するために、タイミング情報とともに送信されるデータに含まれてもよい。
【００１９】
ATSCはホワイトスペースデバイスによって採用され得るテレビジョン送信規格のセットの単なる一例であり、他の実施形態では、ATSC規格、デジタルビデオ放送(DVB)規格、統合サービスデジタル放送(ISDB)規格、デジタルマルチメディア放送(DMB)規格などの様々なテレビジョン規格のうちの任意のものが、ホワイトスペースを介してメディアコンテンツを送信するために採用され得る。
【００２０】
ワイヤレスまたは遠隔ディスプレイは、ホストデバイス101によって固有のディスプレイモードとして認識され得る。いくつかの態様では、遠隔ディスプレイモードは、いくつかのホストデバイスによって使用される1次ディスプレイミラーリングまたは2次/3次ディスプレイモードに類似していてもよい。様々な実施形態において、遠隔ディスプレイモードは、1次または2次(または3次など)ディスプレイモードとして設定されてもよい。ユーザは、ホストデバイス101にユーザ入力を送出することを通じて、遠隔ディスプレイモード(または任意の他の閲覧モード)を選択してもよい。ユーザ入力は、ホストデバイスとの直接的な相互作用を通じて、またはリモコンなどの個別のHIDデバイスの使用など別の手段を通じて入ってきてもよい。ひとたび選択されると、遠隔ディスプレイモードはユーザエクスペリエンスを改善するための様々な機能/特徴をトリガする。
【００２１】
一態様では、本開示のワイヤレスディスプレイ解決策は、ディスプレイのコンテンツをポータブルデバイスから外部の、典型的にはより大きなディスプレイに拡張する。そうする中で、様々な実施形態はシングルユーザエクスペリエンスをマルチビューアエクスペリエンスに変換する。様々な実施形態は、ユーザフレンドリ性/エクスペリエンス品質(QoE)を保持することに適合する。たとえば、オーディオ/ビデオ(AV)処理に関して、1ftの閲覧は、10ft(または部屋中)の閲覧/リスニングエクスペリエンスに適合し得る。ユーザエクスペリエンスを保持するために1つまたは複数の適合を与える様々な特徴を以下で説明する。
【００２２】
一態様では、表示されたコンテンツに、HDTVに適合したGUIが付加される。そのようなGUIはホストデバイス101またはワイヤレストランスミッタ102のいずれかによって付加されてもよく、ホストデバイス101によってネイティブにサポートされるGUIとは異なっても(または同じでも)よい。TVユーザはTV型インターフェースになじみがあり、TV型インターフェースは既存のリモコンでよく機能する。したがって、少なくとも1つの実施形態は、テレビコンテンツの配信業者(衛星TVまたはケーブル会社など)によって、または消費者が認識可能なTVインターフェースであるTVGUIDE(商標)などのエンティティによって生成されるものとは異なる、スクローリングリストの中でコンテンツのオプションを一覧表示するGUIを採用する。GUIの例は図2に示されており、以下でより詳細に説明するように、ユーザはさらなるオプションのためにスクロールアップまたはダウンしてもよく、HIDを使用してオプションのうちの1つを選択してもよい。
【００２３】
ホストデバイス101は、複数の方法のうちの任意のもので制御されてもよい。一例では、ホストデバイス101に関連したHID(たとえばホストデバイス101統合されているマウスまたはキーボードなど)は、ホワイトスペースGUI内の動作とともに、閲覧モードを制御するために使用されてもよい。
【００２４】
別の実施例では、閉ループ制御のための逆方向チャネルが存在する。ホワイトスペースGUIとの相互作用は、従来のオーディオ/ビデオリモコン、またはホストデバイス101とは別個の他のHIDを通じて達成される。リモコンは、通常ディスプレイデバイス/HDTV103を(直接、または他の構成要素を通じて)制御するために使用されるものであってもよい。ユーザの入力/出力はリモコン、または赤外線(IR)、無線周波数(RF)、Bluetooth(登録商標)もしくはZigbee(登録商標)制御信号を使用する他のHIDから送られる。これらの制御信号は、ループを閉じるために、ホストデバイス101に再び通信される。これらはホストデバイスに直接移動してもよく、ワイヤレストランスミッタ102を通って移動してもよく、またはホストデバイス101に達する前に異なる媒介物を通って移動してもよい。いくつかの実施形態では、ワイヤレストランスミッタ102などの媒介物は、HID信号を逆方向リンクでホスト101に送られるコマンドに変換する。他の例では、ホストデバイス101は汎用(universal)TVリモコンによって制御される機能を含むので、遠隔制御信号を動作に変換することができる。
【００２５】
使用され得る可能なHIDとして、TVリモコンおよび汎用リモコンを上で述べているが、実施形態がそのようなものに限定されることはない。実際は、様々な実施形態は、現在知られている、または後に開発される様々なHIDのうちの任意のものを使用してもよい。たとえば、ホストデバイス101およびワイヤレストランスミッタ102は、ワイヤレスマウスが人間のユーザに持たれ、TVのリモコンのように使用され得るように適合されてもよい。いずれのHIDを使用しても、人間のユーザはGUIを通じてナビゲートし、HIDを使用して機能およびコンテンツを選択することができる。さらに、図2に示すようなGUIは例示的なものであり、実施形態の範囲はそれらに限定されない。たとえば、別の例では、ユーザの相互作用のためにウィジェットが使用されてもよく、通常ウィジェットは選択または動作を表す2次元または3次元の視覚オブジェクトを含み、画面でのナビゲーションによって作動させることができる。様々な実施形態は、現在知られている、または後に開発される様々なインターフェースのうちの任意のものを使用してもよい。
【００２６】
別の態様では、コンテンツのビデオおよび/またはオーディオは、遠隔ディスプレイ103上での表示のために構成/再フォーマットされてもよい。ホストデバイス101が遠隔ディスプレイモードに入る場合、ホストデバイス101(および/またはワイヤレストランスミッタ)はブラウザまたはアプリケーションウインドウを、ホストデバイス101のネイティブフォーマットから「TVフォーマット」に変換する。TVフォーマットは、たとえば1ft閲覧から10ft閲覧へといった閲覧条件のために構成されてもよく、または特定の表示(たとえば1080pの解像度など)のために構成されてもよい。様々なタイプのフォーマッティングは、解像度の変更、テキストのためのフォント変更、グラフィックスの再生成、GUIの生成、アイコンの生成、ウィジェットの生成および/またはその他を含んでもよい。現在知られている、または後に開発される任意のタイプのフォーマッティングが、いくつかの実施形態によって使用されてもよい。
【００２７】
別の態様では、ホストデバイス101は、閲覧エクスペリエンスを制御するために従来の遠隔制御機能を用いてもよい。赤外線(IR)、無線周波数(RF)、Bluetooth(登録商標)、またはZigbee(登録商標)を使用して、ホストデバイスは再生制御、カーソル制御などのユーザコマンドを実行してもよい。いくつかの実施形態では、ホストデバイス101は、リモコンまたは同様のHIDデバイスのワイヤレス制御信号をコピーするようにプログラムされてもよい。
【００２８】
図3は、一態様によるコンテンツのワイヤレス送信を示す。ブロック302に示すように、マルチメディアデバイスが遠隔ディスプレイモードに入ることを示す表示が受信される。ブロック304で、表示に応じて、マルチメディアコンテンツは、遠隔ディスプレイのために構成されたグラフィカルユーザインターフェース(GUI)を含むフォーマットで、ワイヤレスで遠隔ディスプレイに送信される。
【００２９】
一態様では、装置は、マルチメディアデバイスが遠隔ディスプレイモードに入ることを示す表示を受信するための手段と、遠隔ディスプレイのために構成されたGUIを含むフォーマットで、マルチメディアコンテンツを遠隔ディスプレイにワイヤレスで送信するための手段とを含む。一態様では、前述の手段はモバイルデバイス101、メディアプロセッサ、ディスプレイプロセッサ、ワイヤレストランスミッタ102、アンテナ、遠隔ディスプレイ103および/または組込み型レシーバであってもよい。
【００３０】
「例示的な」という言葉は、「一例、実例または例示として供すること」を意味するために本明細書で使用される。「例示的」として本明細書で説明するいかなる実施形態も、必ずしも他の実施形態よりも好ましいまたは有利であるとは解釈されるべきではない。
【００３１】
本開示およびその利点を詳細に説明してきたが、添付の特許請求の範囲によって定義された本開示の技術から逸脱することなく、様々な変更、置換および改変を本明細書において行い得ることを理解されたい。さらに、本出願の範囲は、本明細書で説明する過程、機械、製造品、組成物、手段、方法およびステップの特定の実施形態に限定されないものとする。当業者が本開示から容易に諒解するように、本明細書で説明する対応する実施形態と実質的に同じ機能を実行する、またはそれらと実質的に同じ結果を達成する既存または後に開発される過程、機械、製造品、組成物、手段、方法またはステップは、本開示に従って利用されてもよい。したがって、添付の特許請求の範囲は、それらの範囲内に、そのような過程、機械、製造品、組成物、手段、方法またはステップを含むものとする。
【符号の説明】
【００３２】
100  システム
101  ユーザデバイス
102  ワイヤレストランスミッタ
103  ディスプレイデバイス、遠隔ディスプレイ
【図１】
2013521716.tif 000003
【図２】
2013521716.tif 000004
【図３】
2013521716.tif 000005
【国際調査報告】
2013521716.tif 000006
2013521716.tif 000007